(57)【要約】      （修正有）【課題】登録されている宛先情報を利用して新たに宛先を登録する場合に、必要な情報を流用できるとともに、不要な情報の消去作業が不要となる通信端末装置を提供する。【解決手段】宛先情報の一覧表示画面において、選択した宛先情報をコピーした編集画面を表示するための複写ボタンを押下した場合、宛先情報のコピー編集画面が表示される。このコピー編集画面の入力項目のうち、ＦＡＸ番号、会社名、住所の項目に選択された宛先の登録情報が複写されて記入され、名前、メールアドレスの項目は空欄となっている。したがって、会社名、ＦＡＸ番号が同じであれば、他の人物の名前、メールアドレスを入力するだけで、宛先情報を登録することができる。【選択図】図８
2010166111.tif 000002
【特許請求の範囲】
【請求項１】
宛先情報を記憶する電話帳記憶部と、宛先情報の編集画面を表示する表示部と、前記電話帳記憶部への宛先情報の書き込み、及び、前記電話帳記憶部からの宛先情報の読み出しを制御する制御部とを備えた通信端末装置であって、
前記電話帳記憶部に記憶された宛先情報のコピーが指示された場合、前記制御部が、コピーを指示された宛先情報を前記電話帳記憶部から読み出すとともに、読み出した宛先情報の複数の項目のうち、一部の項目を複写する項目として選択して複写した編集画面を前記表示部に表示することを特徴とする通信端末装置。
【請求項２】
宛先情報を記憶する電話帳記憶部と、宛先情報の編集画面を表示する表示部と、前記電話帳記憶部への宛先情報の書き込み、及び、前記電話帳記憶部からの宛先情報の読み出しを制御する制御部とを備えた通信端末装置であって、
前記電話帳記憶部に記憶された宛先情報のコピーが指示された場合、前記制御部が、コピーを指示された宛先情報を前記電話帳記憶部から読み出すとともに、読み出した宛先情報の複数の項目のうち、一部の項目についてすべて複写し、他の項目については情報の一部を複写する情報として選択して複写した編集画面を前記表示部に表示することを特徴とする通信端末装置。
【請求項３】
請求項２に記載された通信端末装置において、
宛先情報の項目として名前及びメールアドレスを含み、
宛先情報のコピーが指示された場合、前記制御部が、名前の苗字及び／またはメールアドレスのドメイン名を上記一部の情報として選択して複写するとともに、他の項目についてはすべての情報を複写した編集画面を前記表示部に表示することを特徴とする通信端末装置。
【請求項４】
宛先情報を記憶する電話帳記憶部と、宛先情報の編集画面を表示する表示部と、前記電話帳記憶部への宛先情報の書き込み、及び、前記電話帳記憶部からの宛先情報の読み出しを制御する制御部とを備えた通信端末装置であって、
前記電話帳記憶部に記憶された宛先情報のうち、一つの宛先情報を選択してコピーが指示された場合、前記制御部が、コピーを指示された宛先情報を前記電話帳記憶部から読み出すとともに、読み出した宛先情報の複数の項目のうち、一部の項目を複写する項目として選択して複写した編集画面を前記表示部に表示し、前記電話帳記憶部に記憶された宛先情報のうち、複数の宛先情報を選択してコピーが指示された場合、前記制御部が、選択された宛先毎に名前を変更して前記電話帳記憶部に記憶することを特徴とする通信端末装置。
【発明の詳細な説明】
【技術分野】
【０００１】
本発明は、通信端末装置に関し、特に、宛先情報を記憶する宛先情報記憶部を備えた通信端末装置に関する。
【背景技術】
【０００２】
複写機能、ファクシミリ機能、プリント機能、スキャナ機能等を有する最近のデジタル複合機、あるいは、ファクシミリ装置等の通信端末装置は、送信宛先を指定するためのテンキーを備えている。例えば、ファクス送信する場合、ユーザは上記のテンキーにより宛先を入力し、それを表示部で確認して送信を行っている。
【０００３】
また、頻繁に送信が行われる宛先の場合には、電話帳に宛先情報を登録したり、あるいは、ワンタッチキーに宛先情報を登録することができる。上記の電話帳またはワンタッチキーに宛先情報を登録する場合には、その宛先情報を文字キーまたは数字キーの操作により逐一入力する必要がある。
【０００４】
一方、事業所等で使用される通信端末装置では、同じ宛先情報あるいは類似の宛先情報を、電話帳や複数のワンタッチキーに登録することが少なくない。しかしながら、このような場合でも電話帳や個々のワンタッチキーについて宛先情報全体のキー入力を繰り返さなければならず、登録作業が面倒であった。このため、既にワンタッチキーに登録されている宛先情報をコピー及び編集して別のワンタッチキーに登録することが提案されている（例えば、特許文献１参照）。
【先行技術文献】
【特許文献】
【０００５】
【特許文献１】特開平６−１６４７９５号公報
【発明の概要】
【発明が解決しようとする課題】
【０００６】
上記のように、ワンタッチキーに既に登録されている宛先情報をコピー及び編集して別のワンタッチキーに登録することが提案されているが、宛先情報のすべてを流用することはまれである。このため、既に登録されている宛先情報をコピー及び編集する場合、流用できない情報、例えば、名前あるいはメールアドレスについては、消去する作業が必要となり、登録作業が煩雑であるという問題があった。
【０００７】
本発明は、上記の問題に鑑みてなされたもので、登録されている宛先情報を利用して新たに宛先を登録する場合に、必要な情報を流用できるとともに、不要な情報の消去作業が不要となる通信端末装置を提供することを目的とする。
【課題を解決するための手段】
【０００８】
上述の目的を達成するため、本発明の通信端末装置は、宛先情報を記憶する電話帳記憶部と、宛先情報の編集画面を表示する表示部と、前記電話帳記憶部への宛先情報の書き込み、及び、前記電話帳記憶部からの宛先情報の読み出しを制御する制御部とを備えた通信端末装置であって、前記電話帳記憶部に記憶された宛先情報のコピーが指示された場合、前記制御部が、コピーを指示された宛先情報を前記電話帳記憶部から読み出すとともに、読み出した宛先情報の複数の項目のうち、一部の項目を複写する項目として選択して複写した編集画面を前記表示部に表示することを特徴とする。
【０００９】
また、本発明の他の通信端末装置は、宛先情報を記憶する電話帳記憶部と、宛先情報の編集画面を表示する表示部と、前記電話帳記憶部への宛先情報の書き込み、及び、前記電話帳記憶部からの宛先情報の読み出しを制御する制御部とを備えた通信端末装置であって、前記電話帳記憶部に記憶された宛先情報のコピーが指示された場合、前記制御部が、コピーを指示された宛先情報を前記電話帳記憶部から読み出すとともに、読み出した宛先情報の複数の項目のうち、一部の項目についてすべて複写し、他の項目例えば、名前、メールアドレスについては情報の一部を複写する情報として選択して複写した編集画面を前記表示部に表示することを特徴とする。
【００１０】
また、本発明のさらに他の通信端末装置は、宛先情報を記憶する電話帳記憶部と、宛先情報の編集画面を表示する表示部と、前記電話帳記憶部への宛先情報の書き込み、及び、前記電話帳記憶部からの宛先情報の読み出しを制御する制御部とを備えた通信端末装置であって、前記電話帳記憶部に記憶された宛先情報のうち、一つの宛先情報を選択してコピーが指示された場合、前記制御部が、コピーを指示された宛先情報を前記電話帳記憶部から読み出すとともに、読み出した宛先情報の複数の項目のうち、一部の項目を複写する項目として選択して複写した編集画面を前記表示部に表示し、前記電話帳記憶部に記憶された宛先情報のうち、複数の宛先情報を選択してコピーが指示された場合、前記制御部が、選択された宛先毎に名前を変更して前記電話帳記憶部に記憶することを特徴とする。
【発明の効果】
【００１１】
本発明の通信端末装置によれば、電話帳記憶部に記憶された宛先情報のコピーを指示することにより、コピーを指示した宛先情報の複数の項目のうち、一部の項目を複写する項目として選択して複写した編集画面が表示部に表示される。したがって、流用できる情報、例えば、会社名、住所、ファクス番号については新たな入力が不要となり、流用できない情報、例えば、名前、メールアドレスについては消去作業が不要となるので、宛先情報の登録を迅速に行うことができる。
【００１２】
また、本発明の他の通信端末装置によれば、電話帳記憶部に記憶された宛先情報のコピーを指示すると、宛先情報の複数の項目のうち、一部の項目のすべてが複写され、他の項目については情報の一部が複写する情報として選択された編集画面が表示される。これにより、例えば、名前、メールアドレスについては、姓、ドメイン名が複写された編集画面が表示されるので、名前の名のみ、メールアドレスのユーザ名のみを入力すればよく、新たな宛先情報の登録を迅速に行うことができる。
【００１３】
また、本発明のさらに他の通信端末装置によれば、コピーを指示された宛先情報が一つのとき、コピーを指示された宛先情報の複数の項目のうち、一部の項目のみを複写した編集画面が表示部に表示される。また、コピーを指示された宛先情報が複数のとき、選択された宛先毎に名前を変更して電話帳記憶部に宛先情報が登録される。したがって、複数の宛先情報をコピーして利用したい場合、名前が変更された宛先情報を個々に編集することにより、新たな宛先情報を容易に登録することができる。
【図面の簡単な説明】
【００１４】
【図１】デジタル複合機のハードウェア構成を示すブロック図である。
【図２】操作パネルの詳細な構成を示す図である。
【図３】電話帳記憶部に新たに宛先情報を登録する場合の作用を示すフローチャートである。
【図４】宛先情報の一覧表示画面の一例である。
【図５】宛先を選択した状態の一覧表示画面の一例である。
【図６】宛先情報の新規登録画面の一例である。
【図７】選択された宛先情報の編集画面の一例である。
【図８】宛先情報のコピー編集画面の一例である。
【図９】選択された複数の宛先が名前を変更されて追加された一覧表示画面の一例である。
【図１０】他の実施例のコピー編集画面の一例である。
【実施例１】
【００１５】
以下、本発明の通信端末装置をデジタル複合機に適用した実施例について説明する。
図１はデジタル複合機のハードウェア構成を示すブロック図である。ＣＰＵ１はバス１３を介してデジタル複合機のハードウェア各部を制御するとともに、ＲＯＭ（Read  Only  Memory）２に記憶されたプログラムに基づいて各種のプログラムを実行する。ＲＯＭ２はネットワーク複合機の動作に必要な種々のプログラム及び操作メッセージ等を予め記憶している。また、ＲＡＭ（Random  Access  Memory）３はＳＲＡＭ（Static  Random  Access  Memory）等で構成され、プログラムの実行時に発生する一時的なデータを記憶するとともに、電話帳の宛先情報を記憶する電話帳記憶部４の記憶領域を備えている。
【００１６】
操作パネル５は、デジタル複合機の動作状態の表示、あるいは、種々の機能の操作画面の表示を行う表示部と、デジタル複合機を操作するための複数のキーを含む。
図２はこの操作パネル５の詳細な構成を示す図である。表示部を構成するＬＣＤ表示部２１には、タッチパネルスイッチが配設され、ＬＣＤ表示部２１に表示された項目部分を押下することで、対応する項目の選択あるいは機能を実行できる。
【００１７】
また、操作キーとして、テンキー２２、スタートキー２３、リセットキー２４、ストップキー２５、複数のワンタッチダイヤルキー２６、十字キー２７、リターンキー２８、セットキー２９が設けられている。さらに、機能切替キーとして、ＦＡＸ切替キー３０、コピー切替キー３１、スキャナ切替キー３２が設けられている。なお、ＬＣＤ表示部２１によりこれらの操作キーあるいは機能切替キーの一部又は全部を代用することも可能である。
【００１８】
読取部６はオートドキュメントフィーダー（ＡＤＦ）及び／またはフラットベッドスキャナ（ＦＢＳ）等の読取り用原稿載置台を備え、ＣＣＤ等を利用したスキャナで原稿を読み取り、ドットイメージデータを出力する。
また、画像メモリ７は、ＤＲＡＭ（Dynamic Random Access Memory）等を用いて構成され、ファクス機能により送信すべき画像データまたは受信した画像データあるいはスキャナ機能で読み取った画像データを記憶する。記録部８は電子写真方式等のプリンタ装置を備え、ファクス受信した画像データ、コピーの画像データあるいは外部のパソコン等から送信された画像データをプリントアウトする。
【００１９】
コーデック９は所定のプロトコルに対応して符号化及び復号するものであり、読み取った原稿の画像データを送信するためにＭＨ、ＭＲまたはＭＭＲ方式により符号化し、外部から受信した画像データを復号する。また、このコーデック９は、電子メールに添付可能なファイルとして一般的に利用される画像フォーマットであるＴＩＦＦ方式等にも対応して符号化、復号する。
【００２０】
モデム１０はバス１３に接続されており、ファクシミリ通信が可能なファクスモデムとしての機能を有し、このモデム１０は同様にバス１３に接続されたネットワーク制御ユニット（ＮＣＵ）１１と接続されている。ＮＣＵ１１はアナログ回線の閉結及び開放の動作を行うハードウェアであり、必要に応じてモデム１０を公衆交換電話網（ＰＳＴＮ）１４に接続する。
また、ＬＡＮ（Local Area Network）インターフェース（ＬＡＮ  Ｉ／Ｆ）１２はＬＡＮ１５に接続され、電子メールの送受信等を行うものであり、信号変換あるいはプロトコル変換などのインターフェース処理を実行する。
【００２１】
デジタル複合機は上記のような構成を備えており、ファクシミリ送信時には、原稿の画像データが読取部６で読み取られ、コーデック９で圧縮されて画像メモリ７に蓄積される。この圧縮された画像データが画像メモリ７から読み出されてモデム１０で変調され、ＮＣＵ１１からＰＳＴＮ１４を通して通信相手先に送信される。また、ファクシミリ受信時には、受信した画像データがモデム１０で復調され、画像メモリ７に蓄積された後、コーデック９で復号されて記録部８により印刷される。
【００２２】
次に、上記電話帳記憶部４に新たに宛先情報を登録する場合の作用について、図３のフローチャートにより説明する。
ユーザがＬＣＤ表示部２１の機能選択画面で電話帳編集を選択した場合、ＣＰＵ１は、図３のフローチャートに示す電話帳編集プログラムを開始する。このプログラムにより、ＣＰＵ１は、まず、電話帳記憶部４から登録されている宛先情報を読み出して、宛先情報の一覧表示画面をＬＣＤ表示部２１に表示する（ステップ１０１）。
【００２３】
図４は宛先情報の一覧表示画面の一例であり、図に示すように、この画面には、電話帳記憶部４に登録されている宛先情報の一覧が表示されるとともに、各種の操作ボタンが表示されている。「登録」ボタンは新たな宛先情報を登録するためのボタンであり、「削除」ボタンは選択した宛先情報を削除するためのボタンである。また、「編集」ボタンは、選択した宛先情報を編集するためのボタンであり、「複写」ボタンは、選択した宛先情報をコピーした編集画面を表示するためのボタンである。「中止」ボタンは、この宛先情報の一覧表示画面を閉じるためのボタンである。
【００２４】
宛先情報の一覧表示画面を表示した後、ＣＰＵ１は、表示されている宛先が選択されたか否かを判定し（ステップ１０２）、宛先が選択されたと判定した場合、該当する宛先に選択されたマークを表示する（ステップ１０３）。これにより、例えば、ユーザがＬＣＤ表示部２１に表示されている宛先情報の一覧表示画面において、「田中太郎」の部分を押下すると、図５に示すように、「田中太郎」の宛先情報が選択された状態となる。
【００２５】
ステップ１０２で宛先が選択されていないと判定した場合、または、ステップ１０３で宛先にマークを表示した後、ＣＰＵ１は、「登録」ボタンが押下されたか否かを判定する（ステップ１０４）。「登録」ボタンが押下されたと判定した場合、ＣＰＵ１は、宛先情報の新規登録画面を表示する（ステップ１０５）。
【００２６】
図６は宛先情報の新規登録画面の一例であり、宛先情報の入力欄として名前、ＦＡＸ番号、メールアドレス、会社名、住所の入力欄が設けられており、名前の欄は、ユーザが姓と名に分けて入力する。宛先情報を入力した後、「登録」ボタンを押下することにより宛先情報を電話帳記憶部４に保存でき、また、「戻る」ボタンを押下することにより、宛先情報の一覧表示画面に戻ることができる。
【００２７】
宛先情報の新規登録画面を表示した後、ＣＰＵ１は、新規登録画面への入力処理があったか否かを判定し（ステップ１０６）、入力処理があったと判定した場合、入力情報をＲＡＭ３に記憶する（ステップ１０７）。入力処理がないと判定した場合、または、ステップ１０７で入力情報を記憶した後、ＣＰＵ１は、「登録」ボタンが押下されたか否かを判定する（ステップ１０８）。「登録」ボタンが押下されたと判定した場合、ＣＰＵ１は、新規登録画面で入力された宛先情報を電話帳記憶部４に記憶する（ステップ１０９）。
【００２８】
ステップ１０８で「登録」ボタンが押下されていないと判定した場合、ＣＰＵ１は、「戻る」ボタンが押下されたか否かを判定する（ステップ１１０）。「戻る」ボタンが押下されていないと判定した場合、ＣＰＵ１は、ステップ１０６に戻り、再び、新規登録画面への入力処理があったか否かを判定する。
そして、ステップ１０９で宛先情報を電話帳記憶部４に記憶した後、または、ステップ１１０で「戻る」ボタンが押下されたと判定した場合、ＣＰＵ１は、ステップ１０１に戻り、再び、宛先情報の一覧表示画面を表示する。
【００２９】
一方、ステップ１０４で「登録」ボタンが押下されていないと判定した場合、ＣＰＵ１は、「削除」ボタンが押下されたか否かを判定する（ステップ１１１）。「削除」ボタンが押下されたと判定した場合、ＣＰＵ１は、選択されている宛先を電話帳記憶部４から削除した（ステップ１１２）後、ステップ１０１に戻り、再び、宛先情報の一覧表示画面を表示する。
【００３０】
また、ステップ１１１で「削除」ボタンが押下されていないと判定した場合、ＣＰＵ１は、「編集」ボタンが押下されたか否かを判定する（ステップ１１３）。「編集」ボタンが押下されたと判定した場合、ＣＰＵ１は、選択されている宛先情報の編集画面を表示する（ステップ１１２）。選択された宛先情報の編集画面を表示した後、ＣＰＵ１は、ステップ１０６に移り、上記と同様に、編集画面への入力処理があったか否かを判定する。
図７は選択された宛先情報の編集画面の一例であり、選択された宛先に登録されている情報が表示されているので、情報を追加、修正した後、「登録」ボタンを押下することにより、修正、追加した宛先情報を電話帳記憶部４に保存できる。
【００３１】
また、ステップ１１３で「編集」ボタンが押下されていないと判定した場合、ＣＰＵ１は、「複写」ボタンが押下されたか否かを判定する（ステップ１１５）。「複写」ボタンが押下されたと判定した場合、ＣＰＵ１は、選択されている宛先が一つか否かを判定する（ステップ１１６）。選択されている宛先が一つであると判定した場合、ＣＰＵ１は、選択されている宛先の宛先情報の項目の一部をコピーしたコピー編集画面をＬＣＤ表示部２１に表示する（ステップ１１７）。
【００３２】
図８は宛先情報のコピー編集画面の一例であり、図に示すように、ＦＡＸ番号、会社名、住所の項目に選択された宛先の登録情報が複写されて記入され、名前、メールアドレスの項目は空欄となっている。したがって、会社名、ＦＡＸ番号が同じであれば、他の人物の名前、メールアドレスを入力するだけで、宛先情報を登録することができる。
【００３３】
選択された宛先情報のコピー編集画面を表示した後、上記と同様に、ＣＰＵ１は、コピー編集画面への入力処理があったか否かを判定し（ステップ１０６）、入力処理があったと判定した場合、入力情報をＲＡＭ３に記憶する（ステップ１０７）。入力処理がないと判定した場合、または、ステップ１０７で入力情報を記憶した後、ＣＰＵ１は、「登録」ボタンが押下されたか否かを判定する（ステップ１０８）。「登録」ボタンが押下されたと判定した場合、ＣＰＵ１は、コピー編集画面で追加、修正された宛先情報を電話帳記憶部４に記憶する（ステップ１０９）。
【００３４】
ステップ１０８で「登録」ボタンが押下されていないと判定した場合、ＣＰＵ１は、「戻る」ボタンが押下されたか否かを判定する（ステップ１１０）。「戻る」ボタンが押下されていないと判定した場合、ＣＰＵ１は、ステップ１０６に戻り、再び、コピー編集画面への入力処理があったか否かを判定する。
そして、ステップ１０９で追加、修正された宛先情報を電話帳記憶部４に記憶した後、または、ステップ１１０で「戻る」ボタンが押下されたと判定した場合、ＣＰＵ１は、ステップ１０１に戻り、宛先情報の一覧表示画面を表示する。
【００３５】
一方、ステップ１１６で選択されている宛先が複数であると判定した場合、ＣＰＵ１は、選択された宛先毎に選択された宛先の宛先情報を「コピー〜（元の名前）」の名前で電話帳記憶部４に登録する（ステップ１１８）。この後、ＣＰＵ１は、ステップ１０１に戻って宛先情報の一覧表示画面を表示する。これにより、図９に示すように、コピーされた複数の宛先が名前を変更されて一覧表示画面に表示される。したがって、これらのいずれかを選択して「編集」ボタンを押下することにより、編集画面が表示されるので、名前と他の変更の必要な箇所を修正して新たな宛先として登録することができる。なお、この場合にコピーされる情報として、上記と同様に、ＦＡＸ番号、会社名、住所の項目のみを複写し、名前、メールアドレスの項目を空欄にすることにより、編集作業が容易となる。
【００３６】
また、ステップ１１５で「複写」ボタンが押下されていないと判定した場合、ＣＰＵ１は、「中止」ボタンが押下されたか否かを判定し（ステップ１１９）、「中止」ボタンが押下されたと判定した場合、プログラムを終了する。一方、「中止」ボタンが押下されていないと判定した場合、ＣＰＵ１は、ステップ１０２に戻り、再び、宛先が選択されたか否かを判定する。
【００３７】
以上のように、電話帳記憶部に記憶された宛先のコピーを指示することにより、宛先情報の複数の項目のうち、会社名、住所、ファクス番号の項目のみが複写されたコピー編集画面が表示される。したがって、流用されることの多い、会社名、住所、ファクス番号は新たに入力する必要がなく、流用されることがない、名前、メールアドレスの項目は空欄であるので、消去作業を行うことなく記入でき、宛先情報の登録を迅速に行うことができる。
【実施例２】
【００３８】
上記の実施例では、コピー編集画面のＦＡＸ番号、会社名、住所の項目の欄に選択された宛先の登録情報を表示し、名前、メールアドレスの欄は空欄としたが、名前、メールアドレスの一部を残すようにしてもよい。
図１０は本実施例のコピー編集画面の一例であり、図に示すように、ＦＡＸ番号、会社名、住所の項目の欄に選択された宛先の登録情報が複写されるとともに、名前の姓及びメールアドレスのドメイン名のみが複写されて表示される。このようにすれば、姓またはメールアドレスのドメイン名が同じであれば、名前の名のみ、メールアドレスのユーザ名のみを入力すれば、宛先情報を登録することができ、新たな宛先情報の登録を迅速に行うことができる。
【００３９】
なお、上記の実施例では、コピー編集画面に名前の姓及びメールアドレスのドメイン名を複写して表示したが、名前の姓及びメールアドレスのドメイン名の一方のみを複写して表示し、他方を空欄としてもよい。
また、上記の実施例では、名前を姓と名に分けて入力させることにより、コピー編集画面で姓の部分だけを残すようにしたが、姓名を一体のものとして入力させてコピー編集画面で姓のみを残すことも可能である。この場合には、別途、ＲＯＭ２に使用頻度の高い姓を登録しておき、登録されている名前の前半部分に登録されている姓と一致するものがあれば、姓としてコピー編集画面に残すことができる。
【００４０】
また、上記の実施例では宛先情報を電話帳に登録する例について説明したが、既にワンタッチダイヤルや短縮ダイヤルとして登録されている宛先情報をコピーして新たな宛先情報として登録する場合にも、本発明を適用できる。例えば、操作パネルにコピーボタンを設け、ワンタッチダイヤルが選択された状態で、コピーボタンが押下された場合、図８と同様の宛先コピー編集画面をＬＣＤ表示部２１に表示させる。そして、登録ボタンが押下された場合には、次に押下されたワンタッチダイヤルにコピー編集された宛先情報を新たに登録するようにすればよい。
【００４１】
さらに、上記の実施例では、本発明の通信端末装置をデジタル複合機に適用した例について説明したが、コピー機能やプリンタ機能を持たない通常のファクシミリ装置にも本発明を適用できる。
【符号の説明】
【００４２】
１  ＣＰＵ
２  ＲＯＭ
３  ＲＡＭ
４  電話帳記憶部
５  操作パネル
６  読取部
７  画像メモリ
８  記録部
９  コーデック
１０  モデム
１１  ＮＣＵ
１２  ＬＡＮ  Ｉ／Ｆ
１３  バス
１４  ＰＳＴＮ
１５  ＬＡＮ
【図１】
2010166111.tif 000003
【図２】
2010166111.tif 000004
【図３】
2010166111.tif 000005
【図４】
2010166111.tif 000006
【図５】
2010166111.tif 000007
【図６】
2010166111.tif 000008
【図７】
2010166111.tif 000009
【図８】
2010166111.tif 000010
【図９】
2010166111.tif 000011
【図１０】
2010166111.tif 000012